【手続補正書】
【提出日】平成18年1月12日(2006.1.12)
【手続補正１】
【補正対象書類名】明細書
【補正対象項目名】発明の名称
【補正方法】変更
【補正の内容】
【発明の名称】リズムの同期方法及び音響装置
【手続補正２】
【補正対象書類名】明細書
【補正対象項目名】特許請求の範囲
【補正方法】変更
【補正の内容】
【特許請求の範囲】
【請求項１】  音源からの音楽信号から、周期的に発生する周期音を検出し、検出した周期音から得られるテンポに沿って出力する所定のリズムパターンと該周期音の発生とを同期させるリズムの同期方法であって、
前記リズムパターンのスタート時の前後所定時間内に、前記周期音が検出されたか否かを判定し、
前記所定時間内に前記周期音が検出された場合、前記リズムパターンのスタート時と前記周期音の検出時との誤差時間を検出し、
前記検出された誤差時間に基づいて、リズムパターンのスタート時と周期音の発生時とが一致するように、１リズムパターンの出力時間を調整する、
リズムの同期方法。
【請求項２】  前記１リズムパターンの出力時間の調整の際、前記誤差時間を所定倍した時間をリズムパターン内のアクセント数で除算した誤差分散時間を求め、
前記求めた誤差分散時間に基づいて、リズムパターンの各アクセント間隔を調整する、
ことを特徴とする請求項１記載のリズムの同期方法。
【請求項３】  前記所定倍は２倍であることを特徴とする請求項２記載のリズムの同期方法。
【請求項４】  音源からの音楽信号から、周期的に発生する周期音を検出する検出手段と、
前記検出手段で検出された周期音から得られるテンポに沿って所定のリズムパターンを出力するリズム音生成手段と、
前記リズムパターンを前記周期音の発生に同期させる制御手段と
を備え、
前記制御手段は、
前記リズムパターンのスタート時の前後所定時間内に、前記周期音が検出されたか否かを判定し、
前記所定時間内に前記周期音が検出された場合、前記リズムパターンのスタート時と前記周期音の検出時との誤差時間を検出し、
前記検出された誤差時間に基づいて、リズムパターンのスタート時と周期音の発生時とが一致するように、１リズムパターンの出力時間を調整する
ことを特徴とする音響装置。
【手続補正３】
【補正対象書類名】明細書
【補正対象項目名】０００１
【補正方法】変更
【補正の内容】
【０００１】
【発明の属する技術分野】
本発明は、リズムの同期方法及び音響装置に係り、より詳しくは、音源からの音楽信号から、周期的に発生する周期音を検出し、検出した周期音から得られるテンポに沿って出力する所定のリズムパターンと該周期音の発生とを同期させるリズムの同期方法及び音響装置に関する。
【手続補正４】
【補正対象書類名】明細書
【補正対象項目名】０００５
【補正方法】変更
【補正の内容】
【０００５】
【発明が解決しようとする課題】
しかし、ＣＤなどの音楽のテンポとリズムパターンのテンポとは必ずしも合っておらず、ＣＤなどの音楽のビート位置とリズムパターンのアクセント位置とがずれ、リズムパターンが耳障りとなっているものがある。本発明は上記事実に考えなされたもので、リズムパターンと周期音の発生とを同期させるリズムの同期方法及び音響装置を提案することを目的とする。
【手続補正５】
【補正対象書類名】明細書
【補正対象項目名】０００６
【補正方法】変更
【補正の内容】
【０００６】
【課題を解決するための手段】
上記目的達成のため請求項１記載の発明は、音源からの音楽信号から、周期的に発生する周期音を検出し、検出した周期音から得られるテンポに沿って出力する所定のリズムパターンと該周期音とを同期させるリズムの同期方法である。
【手続補正６】
【補正対象書類名】明細書
【補正対象項目名】０００８
【補正方法】変更
【補正の内容】
【０００８】
このように、リズムパターンのスタート時と周期音の発生時とが一致するように、１リズムパターンの出力時間を調整するので、音源からの音楽信号とリズムパターンが同期し、リズムパターンが耳障りとなることを防止することができる。
【手続補正７】
【補正対象書類名】明細書
【補正対象項目名】０００９
【補正方法】変更
【補正の内容】
【０００９】
ここで、１リズムパターンの出力時間の調整の際、誤差時間を所定倍した時間をリズムパターン内のアクセント数などの所定分割数で除算した誤差分散時間を求め、求めた誤差分散時間に基づいて、リズムパターンの各アクセント間隔などの分割時間を調整する。ここで、上記所定倍には、１倍、１．５倍、２倍などがあるが、２倍であることが好ましい。
上記目的達成のため請求項４記載の発明は、音源からの音楽信号から、周期的に発生する周期音を検出する検出手段と、前記検出手段で検出された周期音から得られるテンポに沿って所定のリズムパターンを出力するリズム音生成手段と、前記リズムパターンを前記周期音の発生に同期させる制御手段とを備え、前記制御手段は、前記リズムパターンのスタート時の前後所定時間内に、前記周期音が検出されたか否かを判定し、前記所定時間内に前記周期音が検出された場合、前記リズムパターンのスタート時と前記周期音の検出時との誤差時間を検出し、前記検出された誤差時間に基づいて、リズムパターンのスタート時と周期音の発生時とが一致するように、１リズムパターンの出力時間を調整することを特徴とするものである。
本発明に係る音響装置によれば、音源からの音楽信号とリズムパターンが同期し、リズムパターンが耳障りとなることを防止することができる。
【手続補正８】
【補正対象書類名】明細書
【補正対象項目名】００１０
【補正方法】変更
【補正の内容】
【００１０】
【発明の実施の形態】
以下、図面を参照して、本発明に係るリズムの同期方法及び音響装置の実施の形態を詳細に説明する。
【手続補正９】
【補正対象書類名】明細書
【補正対象項目名】００１６
【補正方法】変更
【補正の内容】
【００１６】
ここで、リズムパターンは、図３（Ａ）〜図３（Ｄ）に代表的に示されるように、各リズムパターンは複数の楽器の音を組み合わせて構成されている。各リズムパターンは、１小節時間を例えばアクセント数（図３（Ａ）、図３（Ｂ）は１６個、図３（Ｃ）、図３（Ｄ）は１２個）等で割った各分割時間ごとに、各楽器音の出力タイミングが設定されている。図３には代表的なリズムパターンが示されており、リズムパターンはこれらに限定されるものでない。また、これらリズムパターンは、選択手段を設けることにより、ユーザーにより、設定可能とする構成をとることもできる。
【手続補正１０】
【補正対象書類名】明細書
【補正対象項目名】００２２
【補正方法】変更
【補正の内容】
【００２２】
前回ビート音検出時から所定時間Ｕ経過したと判断した場合には、ステップ１１６で、今回入力したビート音のレベルがしきい値を超えてるか否かを判断する。上記３つの条件の１つでも満たさない場合には、ステップ１１２に戻る。よって、図５に示すように、サンプリング値ＳＸ、ＳＹ等を対象外とすることができる。上記３の条件を満たす場合には、ステップ１１８で、上記３つの条件（ステップ１１２、１１４、１１６）を満たすビート音の入力個数を表わす変数Ｃが０か否かを判断する。変数Ｃが０の場合には、ステップ１２０で、変数Ｃを１インクリメントし、ステップ１２４で、領域Ｃに今回の音レベルを記憶して、ステップ１１２に戻る。
【手続補正１１】
【補正対象書類名】明細書
【補正対象項目名】００２３
【補正方法】変更
【補正の内容】
【００２３】
一方、変数Ｃが０でない場合には、上記３条件を満たすビート音が複数入力された場合であり、この場合には、ステップ１２６で、領域Ｃに記憶されているレベルより、今回入力したビート音のレベルが、一定量大きいか否かを判断する。一定量大きくない場合には、今回入力したビート音を無視して、ステップ１１２に戻る。一方、一定量大きい場合には、ステップ１２８で、変数ＣがＣ０（例えば４）より大きいか否かを判断する。変数ＣがＣ０以下の場合にはステップ１３０で、変数Ｃを１インクリメントし、ステップ１３２で、領域Ｃに今回の音レベルを記憶して、ステップ１１２に戻る。一方変数ＣがＣ０より大きいと判断された場合には、上記３条件（ステップ１１２、１１４、１１６）を満足する音がＣ０個あった、即ち、図５に示すように、サンプリング値Ｓ１〜Ｓ４があったと判断できる。すなわちビート音の立ち上がりを検出したと判断することができる。ステップ１３４で今回検出された音をビートとして設定し、ステップ１３６で、各領域Ｃのデータをリセットし、ステップ１３８で変数Ｃを初期化する。
【手続補正１２】
【補正対象書類名】明細書
【補正対象項目名】００３１
【補正方法】変更
【補正の内容】
【００３１】
ステップ１５６で、今回テンポが算出できたか否かを判断する。即ち、今回のビート時間に近い過去のビート時間の個数ＫがＮ未満か否かを判断する。今回テンポが算出できた場合には、ステップ１５８で、図９に示すように、表示部３０の所定表示個所９０Ｈ、９０Ｌを点灯し、今回テンポが算出できなかった場合には、ステップ１６０で、表示部３０の所定表示個所９０Ｈ、９０Ｌを点滅する。
【手続補正１３】
【補正対象書類名】明細書
【補正対象項目名】００４２
【補正方法】変更
【補正の内容】
【００４２】
ここで、誤差振分時間として誤差ΔＴを所定倍（例えば、２倍）しているのは次の通りである。即ち、単に誤差ΔＴから誤差振分時間を求めて上記のように振分けると、マイコンの処理時間の遅れにより、この遅れ時間が繰り返されてテンポを正確に実際の値にすることができない。一方、誤差ΔＴを所定倍して誤差振分時間を求めて上記のように振分けると、マイコンの処理時間の遅れがあっても、テンポを正確に実際の値にすることができる。そこで、誤差振分時間として誤差ΔＴを所定倍（例えば、２倍）している。なお、多数の実験から誤差ΔＴを２倍にすることがテンポを正確に実際の値にすることができたことを発見した。
【手続補正１４】
【補正対象書類名】明細書
【補正対象項目名】００４８
【補正方法】変更
【補正の内容】
【００４８】
以上の方法により、ほぼ規則的にビートが出ているものは、所定時間（例えば、±８０ｍｓｅｃ）以内で補正され、リズムパターンと音楽との同期がとれる。
【手続補正１５】
【補正対象書類名】明細書
【補正対象項目名】００５８
【補正方法】変更
【補正の内容】
【００５８】
【発明の効果】
以上説明したように本発明に係るリズムの同期方法及び音響装置によれば、リズムパターンのスタート時と周期音の発生時とが一致するように、１リズムパターンの出力時間を調整するので、音源からの音楽信号とリズムパターンが同期し、リズムパターンが耳障りとなることを防止することができる、という効果を有する。